(57)【特許請求の範囲】
【請求項１】
所定の広告主の商品及びサービスに関する特典を配信する特典配信システムであって、
特定のコンテンツを視聴したユーザに特典を取得させる特典付与部であって、前記特典は少なくとも該特典を使用可能な現実の店舗またはネットワーク上の仮想店舗と関連付けられている、特典付与部と、
前記特典の使用が可能な前記店舗に前記ユーザが現実空間またはネットワーク空間において所定の程度以上に接近した場合に、前記店舗への接近を示す接近情報を前記ユーザのユーザ端末に通知する通知部と、
前記ユーザが前記特典を前記店舗において使用した場合に、前記特典の取得の契機となった前記コンテンツに関するコンテンツ情報を前記ユーザに提示する提示部と、
を備える特典配信システム。
【請求項２】
前記特典は、現実の店舗において使用可能であり、
前記通知部は、前記店舗の位置の所定距離以内に前記ユーザ端末の位置が接近したときに前記接近情報を通知する、
請求項１に記載の特典配信システム。
【請求項３】
前記提示部は、現実店舗に備えられた、前記特典配信システムと通信可能に構成された表示装置に、前記コンテンツ情報を表示させる、
請求項２に記載の特典配信システム。
【請求項４】
前記特典は、前記ネットワーク空間における仮想店舗で使用可能であり、
前記通知部は、前記ユーザ端末によりアクセスされたネットワーク空間における位置が、前記ネットワーク上の店舗に所定程度以上に近付いた場合に、前記接近情報を通知する、
請求項１に記載の特典配信システム。
【請求項５】
前記提示部は、前記コンテンツ情報を前記ユーザ端末に表示させる、
請求項１〜４のいずれか一項に記載の特典配信システム。
【請求項６】
前記特典付与部は、複数の関連するコンテンツの全てが視聴された場合に、前記特典を前記ユーザに取得させる、
請求項１〜５のいずれか一項に記載の特典配信システム。
【請求項７】
前記特典付与部は、前記特典を前記ユーザ端末に送信することにより、前記特典を取得させる、
請求項１〜６のいずれか一項に記載の特典配信システム。
【請求項８】
前記ユーザが前記特典を前記店舗において使用した場合に、前記店舗から前記コンテンツの配信者に対する報酬を発生させ、発生した報酬を表す報酬情報を前記配信者に関連付けて記憶させる報酬付与部、をさらに備える、
請求項１〜７のいずれか一項に記載の特典配信システム。
【請求項９】
前記ユーザが前記特典を前記店舗において使用した場合に、前記コンテンツに対する肯定的評価を示す評価情報を当該コンテンツに関連付ける評価情報付与部と、
前記コンテンツが視聴されるときに、前記評価情報を併せて表示させるコンテンツ表示部と、をさらに備える、
請求項１〜８のいずれか一項に記載の特典配信システム。
【請求項１０】
前記コンテンツ情報は、前記コンテンツのコンテンツ名、前記コンテンツの制作主体である配信者及び前記コンテンツを提供する事業者であるコンテンツプロバイダの少なくとも一つの情報を含む、
請求項１〜９のいずれか一項に記載の特典配信システム。
【請求項１１】
所定の広告主の商品及びサービスに関する特典を配信する特典配信システムにより実行される特典配信方法であって、
特定のコンテンツを視聴したユーザに特典を取得させる特典付与ステップであって、前記特典は少なくとも該特典を使用可能な現実の店舗またはネットワーク上の仮想店舗と関連付けられている、特典付与ステップと、
前記特典の使用が可能な前記店舗に前記ユーザが現実空間またはネットワーク空間において所定の程度以上に接近した場合に、前記店舗への接近を示す接近情報を前記ユーザのユーザ端末に通知する通知ステップと、
前記ユーザが前記特典を前記店舗において使用した場合に、前記特典の取得の契機となった前記コンテンツに関するコンテンツ情報を前記ユーザに提示する提示ステップと、
を有する特典配信方法。
【請求項１２】
コンピュータを、所定の広告主の商品及びサービスに関する特典を配信する特典配信システムとして機能させるための特典配信プログラムであって、
前記コンピュータに、
特定のコンテンツを視聴したユーザに特典を取得させる特典付与機能であって、前記特典は少なくとも該特典を使用可能な現実の店舗またはネットワーク上の仮想店舗と関連付けられている、特典付与機能と、
前記特典の使用が可能な前記店舗に前記ユーザが現実空間またはネットワーク空間において所定の程度以上に接近した場合に、前記店舗への接近を示す接近情報を前記ユーザのユーザ端末に通知する通知機能と、
前記ユーザが前記特典を前記店舗において使用した場合に、前記特典の取得の契機となった前記コンテンツに関するコンテンツ情報を前記ユーザに提示する提示機能と、
を実現させる特典配信プログラム。
【発明の詳細な説明】
【技術分野】
【０００１】
本発明は、特典配信システム、特典配信方法及び特典配信プログラムに関する。
【背景技術】
【０００２】
ユーザの端末で動画等のコンテンツを視聴させるサービスにおいて、コンテンツに併せて広告を配信することが行われている。広告は、コンテンツの冒頭及びコンテンツ中等に挿入され、ユーザ操作によりスキップさせることが可能に構成されている場合がある。
一方、ユーザの端末に特典の一形態としての電子クーポンを配信する技術が知られている。例えば、特許文献１には、電子クーポンをエンドユーザに提供し、提供された電子クーポンを小売場所で引き換えることが可能なシステムが記載されている。
【先行技術文献】
【特許文献】
【０００３】
【特許文献１】特表２００３−５１１７９７号公報
【発明の概要】
【発明が解決しようとする課題】
【０００４】
所望の動画等のコンテンツを視聴することを望んでいるユーザにとって、コンテンツに挿入される広告は、時間をかけて視聴したいものではなく、広告がスキップ可能に構成されている場合には、スキップされてしまうことが多かった。広告を視聴すること、広告をスキップする操作は、ユーザにとって煩わしいものであった。また、広告主にとっては、このように広告がスキップされることにより、広告を出稿することのメリットが得難いこととなっていた。さらに、コンテンツの配信者にとっては、広告が挿入されることにより、コンテンツをユーザに視聴して貰える機会を逸失する可能性があった。
【０００５】
そこで本発明は、広告主、コンテンツの配信者及びユーザの三者がメリットを享受しうるような特典の配信を可能にすることを目的とする。
【課題を解決するための手段】
【０００６】
本開示の一側面に係る特典配信システムは、所定の広告主の商品及びサービスに関する特典を配信する特典配信システムであって、特定のコンテンツを視聴したユーザに特典を取得させる特典付与部であって、特典は少なくとも該特典を使用可能な現実の店舗またはネットワーク上の仮想店舗と関連付けられている、特典付与部と、特典の使用が可能な店舗にユーザが現実空間またはネットワーク空間において所定の程度以上に接近した場合に、店舗への接近を示す接近情報をユーザのユーザ端末に通知する通知部と、ユーザが特典を店舗において使用した場合に、特典の取得の契機となったコンテンツに関するコンテンツ情報をユーザに提示する提示部と、を備える。
【０００７】
このような側面によれば、広告の視聴の有無に関わらずユーザに特典が付与されるので、広告視聴のストレスなくユーザに特典を取得させることができる。また、特典の使用が可能な店舗に接近したときにユーザ端末にその旨が通知されるので、特典の使用の契機をユーザに認識させることができ、広告がユーザに視聴されなくとも、広告主の商品及びサービス等の享受をユーザに促すことができる。そして、ユーザが特典の取得の契機となったコンテンツを認識できるので、ユーザに当該コンテンツの配信者のコンテンツの視聴の動機を生じさせることができる。
【発明の効果】
【０００８】
本開示の一側面によれば、広告主、コンテンツの配信者及びユーザの三者がメリットを享受しうるような特典の配信が可能となる。
【図面の簡単な説明】
【０００９】
【図１】実施形態に係る特典配信システムの装置構成の一例を示す図である。
【図２】実施形態に係る特典配信システムに関するハードウェア構成の一例を示す図である。
【図３】実施形態に係る配信サーバの機能構成の一例を示すブロック図である。
【図４】実施形態に係るユーザ端末の機能構成の一例を示す図である。
【図５】コンテンツデータベースの構成の例を示す図である。
【図６】電子クーポンの構成の例を示す図である。
【図７】広告料管理データの構成の例を示す図である。
【図８】コンテンツ情報が表示されたユーザ端末の表示画面例を示す図である。
【図９】実施形態に係る特典配信システムの動作の一例を示すフローチャートである。
【図１０】実施形態に係るユーザ端末の動作の一例を示すフローチャートである。
【図１１】図１１（ａ）は、実施形態に係るサーバプログラムの構成の一例を示す図である。図１１（ｂ）は、実施形態に係る端末プログラムの構成の一例を示す図である。
【発明を実施するための形態】
【００１０】
以下、添付図面を参照しながら本発明の実施形態を詳細に説明する。なお、図面の説明において同一又は同等の要素には同一の符号を付し、重複する説明を省略する。
【００１１】
本実施形態では、本開示に係る特典配信システムを、コンテンツを配信するシステムに適用する。コンテンツを配信するシステムは、ユーザに向けてコンテンツを配信するコンピュータシステムである。コンテンツとは、コンピュータまたはコンピュータシステムによって提供され、人が認識可能な情報のことをいう。コンテンツを示す電子データのことをコンテンツデータという。コンテンツの表現形式は限定されず、例えば、コンテンツは画像（例えば、写真、映像など）、文書、音声、音楽、またはこれらの中の任意の２以上の要素の組合せによって表現されてもよい。コンテンツの目的および利用場面は限定されず、例えば、コンテンツはエンターテインメント、ニュース、教育、医療、ゲーム、チャット、商取引、講演、セミナー、研修などの様々な目的で利用され得る。配信とは、通信ネットワークまたは放送ネットワークを経由して情報をユーザに送信する処理のことをいう。本開示では、配信は放送を含み得る概念である。
【００１２】
コンテンツを配信するシステムはコンテンツデータをユーザ端末に送信することで、コンテンツをユーザに提供する。一例では、そのコンテンツは配信者から提供される。配信者とはユーザに情報を伝えようとする人であり、すなわち、コンテンツの発信者である。
【００１３】
本実施形態では、コンテンツは少なくとも画像を用いて表現される。コンテンツは、動画でもよいし、静止画でもよい。静止画により構成されるコンテンツは、ウェブサイトのホームページを構成し、スクロールバーによりスクロールさせることができるものであってもよい。また、静止画により構成されるコンテンツは、複数の静止画を含みスライドショーにより表現されるものであってもよい。
【００１４】
図１は、実施形態に係る特典配信システム１の装置構成の一例を示す図である。図１に示すように、本実施形態の特典配信システム１は、配信サーバ１０、コンテンツデータベース１９、ユーザ端末２０、特典管理サーバ３０、広告料管理サーバ４０及び店舗端末５０を含む。配信サーバ１０、ユーザ端末２０、特典管理サーバ３０、広告料管理サーバ４０及び店舗端末５０は、ネットワークＮを介して互いに通信可能である。
【００１５】
図２は、特典配信システム１に関するハードウェア構成の一例を示す図である。図２は、配信サーバ１０として機能するサーバコンピュータ１００と、ユーザ端末２０として機能する端末コンピュータ２００とを示す。なお、特典管理サーバ３０及び広告料管理サーバ４０のそれぞれが、サーバコンピュータ１００と同様の構成を有するコンピュータにより構成されてもよいし、配信サーバ１０、特典管理サーバ３０及び広告料管理サーバ４０が一体としてサーバコンピュータ１００により構成されてもよい。また、店舗端末５０は、端末コンピュータ２００と同様の構成を有するコンピュータにより構成されてもよい。
【００１６】
一例として、サーバコンピュータ１００はハードウェア構成要素として、プロセッサ１０１、主記憶部１０２、補助記憶部１０３、および通信部１０４を備える。
【００１７】
プロセッサ１０１は、オペレーティングシステムおよびアプリケーションプログラムを実行する演算装置である。プロセッサの例としてＣＰＵ（Ｃｅｎｔｒａｌ  Ｐｒｏｃｅｓｓｉｎｇ  Ｕｎｉｔ）およびＧＰＵ（Ｇｒａｐｈｉｃｓ  Ｐｒｏｃｅｓｓｉｎｇ  Ｕｎｉｔ）が挙げられるが、プロセッサ１０１の種類はこれらに限定されない。例えば、プロセッサ１０１はセンサおよび専用回路の組合せでもよい。専用回路はＦＰＧＡ（Ｆｉｅｌｄ−Ｐｒｏｇｒａｍｍａｂｌｅ  Ｇａｔｅ  Ａｒｒａｙ）のようなプログラム可能な回路でもよいし、他の種類の回路でもよい。
【００１８】
主記憶部１０２は、配信サーバ１０、特典管理サーバ３０、または広告料管理サーバ４０を実現するためのプログラム、プロセッサ１０１から出力された演算結果などを記憶する装置である。主記憶部１０２は例えばＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）のうちの少なくとも一つにより構成される。
【００１９】
補助記憶部１０３は、一般に主記憶部１０２よりも大量のデータを記憶することが可能な装置である。補助記憶部１０３は例えばハードディスク、フラッシュメモリなどの不揮発性記憶媒体によって構成される。補助記憶部１０３は、サーバコンピュータ１００を配信サーバ１０、特典管理サーバ３０、または広告料管理サーバ４０として機能させるためのサーバプログラムＰ１と各種のデータとを記憶する。本実施形態では、特典配信プログラムはサーバプログラムＰ１として実装される。
【００２０】
通信部１０４は、通信ネットワークＮを介して他のコンピュータとの間でデータ通信を実行する装置である。通信部１０４は例えばネットワークカードまたは無線通信モジュールにより構成される。
【００２１】
サーバの各機能要素は、プロセッサ１０１または主記憶部１０２の上に、対応するサーバプログラムＰ１を読み込ませてプロセッサ１０１にそのプログラムを実行させることで実現される。サーバプログラムＰ１は、対応するサーバの各機能要素を実現するためのコードを含む。プロセッサ１０１はサーバプログラムＰ１に従って通信部１０４を動作させ、主記憶部１０２または補助記憶部１０３におけるデータの読み出しおよび書き込みを実行する。このような処理により、対応するサーバの各機能要素が実現される。
【００２２】
個々のサーバは一つまたは複数のコンピュータにより構成され得る。一つのサーバのために複数のコンピュータが用いられる場合には、通信ネットワークを介してこれらのコンピュータが互いに接続されることで、論理的に一つのサーバが構成される。
【００２３】
一例として、端末コンピュータ２００はハードウェア構成要素として、プロセッサ２０１、主記憶部２０２、補助記憶部２０３及び通信部２０４並びに入力インタフェース２０５及び出力インタフェース２０６を備える。
【００２４】
プロセッサ２０１は、オペレーティングシステムおよびアプリケーションプログラムを実行する演算装置である。プロセッサ２０１は例えばＣＰＵまたはＧＰＵであり得るが、プロセッサ２０１の種類はこれらに限定されない。
【００２５】
主記憶部２０２は、ユーザ端末２０または店舗端末５０を実現させるためのプログラム、プロセッサ２０１から出力された演算結果などを記憶する装置である。主記憶部２０２は例えばＲＯＭおよびＲＡＭのうちの少なくとも一つにより構成される。
【００２６】
補助記憶部２０３は、一般に主記憶部２０２よりも大量のデータを記憶することが可能な装置である。補助記憶部２０３は例えばハードディスク、フラッシュメモリなどの不揮発性記憶媒体によって構成される。補助記憶部２０３は、端末コンピュータ２００をユーザ端末２０または店舗端末５０として機能させるための端末プログラムＰ２と各種のデータとを記憶する。例えば、補助記憶部２０３はアバターなどの仮想オブジェクトと仮想空間とのうちの少なくとも一つに関するデータを記憶してもよい。
【００２７】
通信部２０４は、通信ネットワークＮを介して他のコンピュータとの間でデータ通信を実行する装置である。通信部２０４は例えばネットワークカードまたは無線通信モジュールにより構成される。
【００２８】
入力インタフェース２０５は、ユーザの操作または動作に基づいてデータを受け付ける装置である。例えば、入力インタフェース２０５は、キーボード、操作ボタン、ポインティングデバイス、マイクロフォン、センサ、およびカメラのうちの少なくとも一つによって構成される。キーボードおよび操作ボタンはタッチパネル上に表示されてもよい。入力インタフェース２０５の種類が限定されないことに対応して、入力されるデータは限定されない。例えば、入力インタフェース２０５はキーボード、操作ボタン、またはポインティングデバイスによって入力または選択されたデータを受け付けてもよい。あるいは、入力インタフェース２０５は、マイクロフォンにより入力された音声データを受け付けてもよい。あるいは、入力インタフェース２０５はカメラによって撮影された画像データ（例えば、映像データまたは静止画データ）を受け付けてもよい。
【００２９】
出力インタフェース２０６は、端末コンピュータ２００で処理されたデータを出力する装置である。例えば、出力インタフェース２０６はモニタ、タッチパネル、ＨＭＤおよびスピーカのうちの少なくとも一つによって構成される。モニタ、タッチパネル、ＨＭＤなどの表示装置は、処理されたデータを画面上に表示する。スピーカは、処理された音声データで示される音声を出力する。
【００３０】
ユーザ端末２０または店舗端末５０の各機能要素は、プロセッサ２０１または主記憶部２０２の上に端末プログラムＰ２を読み込ませてそのプログラムを実行させることで実現される。端末プログラムＰ２は、ユーザ端末２０または店舗端末５０の各機能要素を実現するためのコードを含む。プロセッサ２０１は端末プログラムＰ２に従って通信部２０４、入力インタフェース２０５または出力インタフェース２０６を動作させ、主記憶部２０２または補助記憶部２０３におけるデータの読み出しおよび書き込みを行う。この処理によりユーザ端末２０または店舗端末５０の各機能要素が実現される。
【００３１】
サーバプログラムＰ１および端末プログラムＰ２の少なくとも一つは、ＣＤ−ＲＯＭ、ＤＶＤ−ＲＯＭ、半導体メモリなどの有形の記録媒体に固定的に記録された上で提供されてもよい。あるいは、これらのプログラムの少なくとも一つは、搬送波に重畳されたデータ信号として通信ネットワークを介して提供されてもよい。これらのプログラムは別々に提供されてもよいし、一緒に提供されてもよい。
【００３２】
再び図１を参照して、配信サーバ１０は、所定の配信者によるコンテンツを配信するコンピュータである。また、配信サーバ１０は、所定の広告主の商品及びサービス等に関する特典を配信する。
【００３３】
図３は、配信サーバ１０の機能構成の一例を示すブロック図である。図３に示されるように、配信サーバ１０は、コンテンツ表示部１１、特典付与部１２、報酬付与部１３及び評価情報付与部１４を備える。これらの各機能部１１〜１４は、プロセッサ１０１にサーバプログラムＰ１が読み込まれて、そのプログラムが実行されることにより実現される。各機能部の説明は後述する。
【００３４】
ユーザ端末２０は、ユーザによって用いられるコンピュータである。ユーザ端末２０は、配信サーバ１０から配信されたコンテンツを受信及び表示する機能を有する。また、ユーザ端末２０は、ＧＰＳ装置（図示せず）等により所在位置を検知する機能を有してもよい。ユーザ端末２０の種類及び構成は限定されない。例えば、ユーザ端末２０は、高機能携帯電話機（スマートフォン）、タブレット端末、ウェアラブル端末（例えば、ヘッドマウントディスプレイ（ＨＭＤ）、スマートグラスなど）、ラップトップ型パーソナルコンピュータ、携帯電話機などの携帯端末でもよい。あるいは、ユーザ端末２０は、デスクトップ型パーソナルコンピュータなどの据置型端末でもよい。
【００３５】
図４は、ユーザ端末２０の機能構成の一例を示すブロック図である。図４に示されるように、ユーザ端末２０は、表示部２１、通知部２２及び提示部２３を備える。これらの各機能部２１〜２３は、プロセッサ２０１に端末プログラムＰ２が読み込まれて、そのプログラムが実行されることにより実現される。各機能部の説明は後述する。
【００３６】
コンテンツデータベース１９は、コンテンツデータを記憶する非一時的な記憶媒体または記憶装置である。配信サーバ１０はコンテンツデータベース１９から読み出したコンテンツデータをユーザ端末２０に送信する。図５は、コンテンツデータベース１９に記憶されているコンテンツ情報の構成の一例を示す図である。コンテンツデータベース１９は、コンテンツデータごとに、図５に示されるようなコンテンツ識別子、コンテンツ名、配信者及び評価情報等を関連付けて記憶している。
【００３７】
コンテンツ識別子は、各コンテンツを一意に識別するための情報である。コンテンツ名は、コンテンツの名称である。配信者は、例えば当該コンテンツの制作主体である。配信者は、コンテンツプロバイダを介して自らのコンテンツをユーザに配信する。評価情報は、当該コンテンツに対する肯定的または否定的な評価を示す評価情報であって、例えば、コンテンツを視聴したユーザが、ユーザ端末２０上で肯定的評価を示すボタンを入力操作すると、肯定的評価の件数を示す情報が１増加され、評価情報として記憶される。
【００３８】
特典管理サーバ３０は、本開示の特典の一形態であるクーポンを管理するコンピュータである。特典管理サーバ３０は、特典管理データベース３１を備える。特典管理データベース３１は、クーポンに関するクーポン情報を記憶する非一時的な記憶媒体または記憶装置である。図６は、特典管理データベース３１に記憶されているクーポン情報の一例を示す図である。クーポン情報は、クーポンＩＤ、付与条件、特典内容及び店舗の位置情報等を含む。
【００３９】
クーポンＩＤは、各クーポンを識別する識別子である。付与条件は、当該クーポンをユーザに取得させる条件である。例えば、付与条件は、「特定のコンテンツを視聴したこと」及び「特定の関連する複数のコンテンツを視聴したこと」等の情報を含むことができる。
【００４０】
特典内容は、当該クーポンによりユーザが享受することができる特典の内容を示す情報であって、例えば、所定の店舗において所定の商品が有利な条件（例えば、割引購入）で購入できること等の情報である。
【００４１】
店舗の位置情報は、例えば、当該特典に係る店舗の所在位置を示す位置情報である。特典内容が、ネットワーク上の仮想店舗における商品等の購入に関するものである場合には、店舗の位置情報は、仮想店舗のネットワーク空間における位置を示す情報であり、例えばＵＲＬ等であることができる。即ち、クーポンは、少なくとも、当該クーポンに係る特典を使用可能な現実の店舗または仮想店舗と関連付けられている。
【００４２】
広告料管理サーバ４０は、コンテンツの配信者に対して発生する報酬を表す広告料情報を管理するコンピュータである。広告料管理サーバ４０は、広告料管理データベース４１を備える。広告料管理データベース４１は、広告料情報を記憶する非一時的な記憶媒体または記憶装置である。
【００４３】
図７は、広告料情報の構成の一例を示す図である。図７に示されるように、広告料情報は、配信者及び広告料等の情報を含む。配信者は、報酬としての広告料が享受される主体たる配信者を示す。広告料は、当該配信者に対して発生した広告料の額を示す。
【００４４】
店舗端末５０は、現実の店舗に備えられるコンピュータである。店舗端末５０は、例えば、実店舗におけるレジスタ端末を構成する。本実施形態の店舗端末５０は、提示部５１を備える。提示部５１は、後述されるように、クーポンが使用されたときにコンテンツ情報をユーザに対して提示するための表示手段である。
【００４５】
再び図３を参照して配信サーバ１０の各機能部について説明する。コンテンツ表示部１１は、ユーザ端末２０にコンテンツを表示させる。具体的には、例えば、コンテンツ表示部１１は、ユーザ端末２０からのリクエストに応じてコンテンツデータベース１９からコンテンツを読み出して、読み出したコンテンツをユーザ端末２０に送信することにより、コンテンツをユーザに対して表示させる。
【００４６】
また、コンテンツ表示部１１は、コンテンツに対する肯定的評価を示す評価情報がコンテンツに関連付けられている場合には、評価情報をコンテンツと共にユーザ端末２０に送信することにより、評価情報をコンテンツに併せてユーザ端末２０に表示させる。
【００４７】
特典付与部１２は、特定のコンテンツを視聴したユーザに特典を取得させる。具体的には、特典付与部１２は、コンテンツにクーポンが関連付けられている場合、即ち、特定のコンテンツを視聴することがクーポンの付与条件として設定されている場合に、特定のコンテンツがユーザのユーザ端末２０により視聴されたときに、ユーザ端末２０にクーポン情報を送信する。
【００４８】
一般的には、コンテンツの再生前または再生中に広告が再生され、広告の視聴を条件として当該広告の広告主の店舗等において特典を享受できるクーポンをユーザに取得させるような構成を取りうるところ、本実施形態では、広告の視聴の有無に関わらずユーザに特典が付与されるので、広告視聴のストレスなくユーザに特典を取得させることができる。
【００４９】
また、クーポン情報において、「特定の関連する複数のコンテンツを視聴したこと」が付与条件として設定されている場合には、特定の関連する複数のコンテンツがユーザ端末２０により視聴されたときに、特典付与部１２は、当該クーポン情報をユーザ端末２０に送信する。
【００５０】
具体的には、ユーザ端末２０において、コンテンツ視聴のための特定のアプリケーションまたはブラウザ等によりコンテンツが視聴される場合には、当該アプリケーションまたはブラウザは、アカウント等のユーザを識別する情報を有する。特典付与部１２は、アプリケーションまたはブラウザ等からユーザを識別する情報を取得して、そのユーザ宛にクーポン情報を送信する。なお、クーポン情報が送信されたことは、ユーザ端末２０において、ユーザに認識可能に表示されてもよいし、ユーザがクーポンの受信を認識できなくてもよい。
【００５１】
なお、本実施形態では、クーポン情報をユーザ端末２０に送信することにより、ユーザによるクーポンの取得を実現させる構成としているが、このような構成には限定されない。例えば、特定のコンテンツがユーザのユーザ端末２０により視聴されたときに、配信サーバ１０または特典管理サーバ３０等において、クーポン情報とユーザ端末２０の識別子とを関連付ける情報を生成及び記憶することにより、ユーザによるクーポンの取得を実現させてもよい。
【００５２】
ここで、説明の便宜のため、報酬付与部１３及び評価情報付与部１４の説明は後に詳述することとして、図４を参照してユーザ端末２０の各機能部を説明する。
【００５３】
表示部２１は、コンテンツを表示する。具体的には、表示部２１は、配信サーバ１０のコンテンツ表示部１１により送信されたコンテンツを、ユーザ端末２０が備えるディスプレイ等の表示手段に表示させる。
【００５４】
また、後述されるように、コンテンツに評価情報が関連付けられておりコンテンツ表示部１１によりコンテンツと共に評価情報が送信された場合には、表示部２１は、コンテンツとともに評価情報を、ディスプレイ等の表示手段に表示させる。
【００５５】
通知部２２は、クーポンの使用が可能な店舗にユーザが現実空間またはネットワーク空間において所定の程度以上に接近した場合に、店舗への接近を示す接近情報を前記ユーザのユーザ端末に通知する。
【００５６】
具体的には、現実空間の店舗においてクーポンの使用が可能である場合には、通知部２２は、ユーザ端末２０に備えられているＧＰＳ装置等（図示せず）によりユーザ端末の所在位置を示す位置情報を取得する。通知部２２は、クーポン情報に含まれている、クーポンの使用が可能な店舗の位置情報を参照して、ユーザ端末２０の所在位置が店舗の所在位置の所定距離以内に接近したときに、クーポンの使用が可能な店舗への接近を示す接近情報を通知する。接近情報は、例えば、ユーザ端末２０におけるアラームまたは音声メッセージの出力、ユーザ端末２０の筐体のバイブレーション及びディスプレイへのメッセージの表示等により通知されてもよい。このように、接近情報が通知されることにより、ユーザはクーポンの使用の契機を認識することができる。
【００５７】
また、ネットワーク空間における仮想店舗（電子商取引サイト）においてクーポンの使用が可能である場合には、通知部２２は、ユーザ端末２０によりアクセスされたネットワーク空間における位置が、仮想店舗に所定程度以上に近付いた場合に、接近情報を通知する。具体的には、ユーザ端末２０により、当該仮想店舗のサイトにアクセスしたとき、及び仮想店舗のネットワーク空間におけるロケーションを示すＵＲＬと所定の程度以上一致するＵＲＬにアクセスしたとき等に、通知部２２は、接近情報を通知してもよい。
【００５８】
なお、本実施形態における店舗について、クーポンの使用が可能な現実空間の店舗及びネットワーク空間における仮想店舗が例示されているが、これらの例に限定されない。店舗は、いわゆる商店の体裁を有していることは必要とされず、商品及びサービス等が提供される場所、組織及びサイト等を含む概念である。また、店舗において提供される商品及びサービス等は、有償であっても無償であってもよい。また、店舗からの商品及びサービス等の提供は、サイトからのネットワークを介したコンテンツ等のダウンロードを含む。
【００５９】
提示部２３は、ユーザがクーポンを店舗において使用した場合に、クーポンの取得の契機となったコンテンツに関するコンテンツ情報をユーザに提示する。前述のとおり、通知部２２により接近情報がユーザに対して通知されることにより、ユーザは、クーポンの使用の契機を認識できる。この認識に基づいて、ユーザは、現実空間の店舗または仮想店舗においてクーポンを使用することができる。店舗におけるクーポンの使用は、クーポンごとに規定された有利な条件を享受することであって、例えば、所定の商品を有利な条件（割引等）で購入すること等である。
【００６０】
クーポン情報に含まれる付与条件には、当該クーポンの付与の契機となったコンテンツに関する情報が含まれているので、提示部２３は、コンテンツデータベース１９の参照により、コンテンツ名、当該コンテンツの配信者及びコンテンツプロバイダ等のコンテンツ情報を取得できる。なお、コンテンツ名、当該コンテンツの配信者及びコンテンツプロバイダ等の情報がクーポン情報に含まれて配信サーバ１０からユーザ端末２０に送信されてもよい。この場合には、提示部２３は、クーポン情報からコンテンツ名、コンテンツの配信者及びコンテンツプロバイダ等のコンテンツ情報を取得できる。
【００６１】
提示部２３は、コンテンツ名、コンテンツの配信者及びコンテンツプロバイダの少なくともいずれかを含むコンテンツ情報を、クーポンの使用を契機としてユーザに提示する。具体的には、提示部２３は、ユーザ端末２０のディスプレイにコンテンツ情報を表示させる。
【００６２】
図８は、コンテンツ情報が表示されたユーザ端末２０の表示画面例を示す図である。図８に示されるように、提示部２３は、ユーザ端末２０の出力インタフェース２０６の一態様であるディスプレイに、コンテンツ情報ｄを表示させる。図８に示す例では、コンテンツ情報は、「お使いのクーポンはＮＮ動画サイトで付与されました。配信者：Ｍ」といったメッセージを含む。即ち、図８に示す一例では、コンテンツ情報は、配信者がＭであること、及び、コンテンツプロバイダがＮＮ動画サイトであること、の情報を含む。このようにコンテンツ情報が提示されることにより、クーポンの取得の契機となったコンテンツのコンテンツ名、配信者及びコンテンツプロバイダ等をユーザに認識させることができる。
【００６３】
また、提示部２３は、現実店舗に備えられた、特典配信システム１と通信可能に構成された表示装置に、コンテンツ情報を表示させてもよい。具体的には、提示部２３は、店舗端末５０の提示部５１に、コンテンツ情報を表示させてもよい。前述のとおり、店舗端末５０は、現実店舗におけるレジスタ端末を構成することができるので、クーポンが使用されたときに、コンテンツ情報が提示部５１に表示されることにより、クーポンの取得の契機となったコンテンツのコンテンツ名、配信者及びコンテンツプロバイダ等をユーザに認識させることができる。
【００６４】
再び図３を参照して、配信サーバ１０の機能部の説明を続ける。報酬付与部１３は、ユーザがクーポンを店舗において使用した場合に、店舗からコンテンツの配信者に対する報酬を発生させ、発生した報酬を表す報酬情報を配信者に関連付けて記憶させる。
配信者に対する店舗からの報酬の一態様は、広告料である。
【００６５】
具体的には、現実または仮想の店舗においてユーザによりクーポンが使用されたときに、その旨の情報が店舗端末５０またはユーザ端末２０から配信サーバ１０に送信される。報酬付与部１３は、クーポンが使用された旨の情報を受信すると、クーポンの使用に対して予め設定された所定の広告料を発生させ、図７に示されるように、発生した広告料を、クーポンの配信の契機となったコンテンツの配信者に関連付けて広告料管理データベース４１に記憶させる。このように、広告主である店舗の商品及びサービス等に関するクーポンが使用されたときに、広告主から配信者への広告料としての報酬が発生するような構成とできるので、広告主にとっての投資効果のない広告費用投資を回避することができる。
【００６６】
なお、本実施形態では、現実または仮想の店舗においてクーポンが使用されたことを契機として報酬付与部１３が所定の広告料の発生及びコンテンツの配信者への関連付けを行うこととしているが、このような態様には限定されず、例えば、現実空間の店舗またはネットワーク空間における仮想店舗に所定程度以上に近付いたことがユーザ端末２０により検知されたこと又は店舗への接近を示す接近情報の通知を契機として、報酬付与部１３による所定の広告料の発生及びコンテンツの配信者への関連付けが行われることとしてもよい。
【００６７】
評価情報付与部１４は、ユーザがクーポンを店舗において使用した場合に、コンテンツに対する肯定的評価を示す評価情報をコンテンツに関連付ける。評価情報は、当該コンテンツに対する肯定的または否定的な評価を示す情報である。一般的な評価情報の付与の態様は、例えば、コンテンツを視聴したユーザが、ユーザ端末２０上で肯定的評価を示すボタンを入力操作すると、肯定的評価の件数を示す情報が１増加され、評価情報として記憶されると共に、コンテンツ視聴中の画面に肯定的及び／または否定的な評価情報のそれぞれの件数がコンテンツと共に表示されるような構成である。
【００６８】
本実施形態では、ユーザがクーポンを店舗において使用した場合に、クーポンの使用の旨を示す情報がユーザ端末２０または店舗端末５０から配信サーバ１０に送信される。評価情報付与部１４は、クーポンの使用の旨の情報を受信すると、当該クーポンのユーザへの付与の契機となったコンテンツに対する肯定的評価の件数を所定数（例えば１）増加させて、図５に示すように、当該コンテンツに関連付けて件数が増加された評価情報を記憶させる。コンテンツ表示部１１は、コンテンツが視聴されるときに、当該コンテンツに関連付けられている評価情報を併せて表示させる。このように評価情報の付与及び表示がされることにより、広告主の商品及びサービス等に関するクーポンの配信の配信者に対する見返りとして、無体の報酬を与えることができる。
【００６９】
なお、本実施形態では、現実または仮想の店舗においてクーポンが使用されたことを契機として、評価情報付与部１４がコンテンツに対する肯定的評価を示す評価情報をコンテンツに関連付けることとしているが、このような態様には限定されず、例えば、現実空間の店舗またはネットワーク空間における仮想店舗に所定程度以上に近付いたことがユーザ端末２０により検知されたこと又は店舗への接近を示す接近情報の通知を契機として、評価情報付与部１４による肯定的評価を示す評価情報のコンテンツへの関連付けが行われることとしてもよい。
【００７０】
次に、図９を参照して、本実施形態の特典配信システム１の動作について説明する。図９は、クーポンの配信の局面における特典配信システム１において実施される特典配信方法の処理内容の一例を示すフローチャートである。
【００７１】
ステップＳ１において、ユーザ端末２０は、コンテンツの視聴要求を配信サーバ１０に送信する。ステップＳ２において、配信サーバ１０のコンテンツ表示部１１は、コンテンツの視聴要求を受信する。
【００７２】
ステップＳ３において、コンテンツ表示部１１は、ユーザ端末２０からの視聴要求に応じてコンテンツデータベース１９からコンテンツを読み出して、読み出したコンテンツをユーザ端末２０に配信する。
【００７３】
ステップＳ４において、ユーザ端末２０の表示部２１は、コンテンツを受信し、受信したコンテンツをディスプレイ等の表示手段において再生及び表示させる。
【００７４】
ステップＳ５において、配信サーバ１０の特典付与部１２は、ステップＳ１〜Ｓ４のユーザ端末２０によるコンテンツの視聴が、クーポンの付与条件を満たすか否かを判定する。クーポンの付与条件が満たされると判断された場合には、ステップＳ６において、特典付与部１２は、クーポンをユーザ端末２０に送信する。
【００７５】
一方、クーポンの付与条件が満たされると判断されなかった場合には、クーポンの配信のための処理が終了する。
【００７６】
ステップＳ７において、ユーザ端末２０は、特典付与部１２により送信されたクーポンを受信する。これにより、広告の視聴の有無に関わらずユーザにクーポンが付与されるので、広告視聴のストレスなくユーザにクーポンを取得させることができる。
【００７７】
図１０は、クーポンの使用の局面における特典配信システム１において実施される特典配信方法の処理内容の一例を示すフローチャートである。
【００７８】
ステップＳ１１において、通知部２２は、クーポンの使用が可能な店舗に接近したか否かを判断する。クーポンの使用が可能な店舗に接近したと判断された場合に、ステップＳ１２において、通知部２２は、クーポンの使用が可能な店舗への接近を示す接近情報をユーザのユーザ端末２０に通知する。これにより、クーポンの使用の契機をユーザに認識させることができ、広告がユーザに視聴されなくとも、広告主である店舗の商品及びサービス等の享受をユーザに促すことができる。
【００７９】
続いて、ステップＳ１３において、提示部２３は、ユーザがクーポンを対象の店舗において使用したか否かを判定する。クーポンが使用されたと判定された場合には、ステップＳ１４において、提示部２３は、クーポンの取得の契機となったコンテンツに関するコンテンツ情報をユーザに提示する。このように、ユーザがクーポンの取得の契機となったコンテンツを認識できるので、ユーザに当該コンテンツの配信者のコンテンツの視聴の動機を生じさせることができる。
【００８０】
次に、図１１を参照して、コンピュータを特典配信システム１として機能させるための、サーバプログラム及び端末プログラムを含む特典配信プログラムを説明する。図１１（ａ）に示されるサーバプログラムＰ１は、コンピュータを配信サーバ１０として機能させるためのプログラムであって、メインモジュールｍ１０、コンテンツ表示モジュールｍ１１、特典付与モジュールｍ１２、報酬付与モジュールｍ１３及び評価情報付与モジュールｍ１４を備える。
【００８１】
メインモジュールｍ１０は、配信サーバ１０における特典配信処理を統括的に制御する部分である。コンテンツ表示モジュールｍ１１、特典付与モジュールｍ１２、報酬付与モジュールｍ１３及び評価情報付与モジュールｍ１４がプロセッサにより実行されることにより、図３に示される配信サーバ１０のコンテンツ表示部１１、特典付与部１２、報酬付与部１３及び評価情報付与部１４の機能が実現される。
【００８２】
図１１（ｂ）に示される端末プログラムＰ２は、コンピュータをユーザ端末２０として機能させるためのプログラムであって、メインモジュールｍ２０、表示モジュールｍ２１、通知モジュールｍ２２及び提示モジュールｍ２３を備える。
【００８３】
メインモジュールｍ２０は、ユーザ端末２０における特典配信処理を統括的に制御する部分である。表示モジュールｍ２１、通知モジュールｍ２２及び提示モジュールｍ２３がプロセッサにより実行されることにより、図４に示されるユーザ端末２０の表示部２１、通知部２２及び提示部２３の機能が実現される。
【００８４】
サーバプログラムＰ１及び端末プログラムＰ２は、例えば、ＣＤ−ＲＯＭやＤＶＤ−ＲＯＭまたは半導体メモリ等の記憶媒体Ｍ１，Ｍ２によって提供される。また、サーバプログラムＰ１は、搬送波に重畳されたコンピュータデータ信号として通信ネットワークを介して提供されてもよい。
【００８５】
以上説明した本実施形態の特典配信システム１、特典配信方法及び特典配信プログラムＰ１，Ｐ２によれば、広告の視聴の有無に関わらずユーザに特典が付与されるので、広告視聴のストレスなくユーザに特典を取得させることができる。また、特典の使用が可能な店舗に接近したときにユーザ端末にその旨が通知されるので、特典の使用の契機をユーザに認識させることができ、広告がユーザに視聴されなくとも、広告主の商品及びサービス等の享受をユーザに促すことができる。そして、ユーザが特典の取得の契機となったコンテンツを認識できるので、ユーザに当該コンテンツの配信者のコンテンツの視聴の動機を生じさせることができる。
【００８６】
本開示の一側面に係る特典配信方法は、所定の広告主の商品及びサービスに関する特典を配信する特典配信システムにより実行される特典配信方法であって、特定のコンテンツを視聴したユーザに特典を取得させる特典付与ステップであって、特典は少なくとも該特典を使用可能な現実の店舗またはネットワーク上の仮想店舗と関連付けられている、特典付与ステップと、特典の使用が可能な店舗にユーザが現実空間またはネットワーク空間において所定の程度以上に接近した場合に、店舗への接近を示す接近情報をユーザのユーザ端末に通知する通知ステップと、ユーザが特典を店舗において使用した場合に、特典の取得の契機となったコンテンツに関するコンテンツ情報をユーザに提示する提示ステップと、を有する。
【００８７】
本開示の一側面に係る特典配信プログラムは、コンピュータを、所定の広告主の商品及びサービスに関する特典を配信する特典配信システムとして機能させるための特典配信プログラムであって、コンピュータに、特定のコンテンツを視聴したユーザに特典を取得させる特典付与機能であって、特典は少なくとも該特典を使用可能な現実の店舗またはネットワーク上の仮想店舗と関連付けられている、特典付与機能と、特典の使用が可能な店舗にユーザが現実空間またはネットワーク空間において所定の程度以上に接近した場合に、店舗への接近を示す接近情報をユーザのユーザ端末に通知する通知機能と、ユーザが特典を店舗において使用した場合に、特典の取得の契機となったコンテンツに関するコンテンツ情報をユーザに提示する提示機能と、を実現させる。
【００８８】
このような側面によれば、広告の視聴の有無に関わらずユーザに特典が付与されるので、広告視聴のストレスなくユーザに特典を取得させることができる。また、特典の使用が可能な店舗に接近したときにユーザ端末にその旨が通知されるので、特典の使用の契機をユーザに認識させることができ、広告がユーザに視聴されなくとも、広告主の商品及びサービス等の享受をユーザに促すことができる。そして、ユーザが特典の取得の契機となったコンテンツを認識できるので、ユーザに当該コンテンツの配信者のコンテンツの視聴の動機を生じさせることができる。
【００８９】
他の側面に係る特典配信システムでは、特典は、現実の店舗において使用可能であり、通知部は、店舗の位置の所定距離以内にユーザ端末の位置が接近したときに接近情報を通知することとしてもよい。
【００９０】
このような側面によれば、特典の使用が可能な現実の店舗に接近したことをユーザが認識できるので、ユーザに特典の使用を促すことができる。
【００９１】
他の側面に係る特典配信システムでは、提示部は、現実店舗に備えられた、特典配信システムと通信可能に構成された表示装置に、コンテンツ情報を表示させることとしてもよい。
【００９２】
このような側面によれば、現実の店舗の表示装置にコンテンツ情報が表示されるので、ユーザに特典の取得の契機となったコンテンツ及び配信者を認識させることができる。
【００９３】
他の側面に係る特典配信システムでは、特典は、ネットワーク空間における仮想店舗で使用可能であり、通知部は、ユーザ端末によりアクセスされたネットワーク空間における位置が、ネットワーク上の店舗に所定程度以上に近付いた場合に、接近情報を通知することとしてもよい。
【００９４】
このような側面によれば、例えばネットサーフィン等により特典の使用が可能な電子商取引サイト等の店舗に接近したことをユーザが認識できるので、ユーザに特典の使用を促すことができる。
【００９５】
他の側面に係る特典配信システムでは、提示部は、コンテンツ情報をユーザ端末に表示させることとしてもよい。
【００９６】
このような側面によれば、ユーザ端末にコンテンツ情報が表示されるので、ユーザに特典の取得の契機となったコンテンツ及び配信者を認識させることができる。
【００９７】
他の側面に係る特典配信システムでは、特典付与部は、複数の関連するコンテンツの全てが視聴された場合に、特典をユーザに取得させることとしてもよい。
【００９８】
このような側面によれば、ユーザにより特典が使用されたときに、複数の関連するコンテンツの全てを視聴したことを契機として当該特典を取得したことをユーザに認識させることができる。従って、当該コンテンツに係る配信者により配信される複数の関連するコンテンツの視聴の動機をユーザに生じさせることができる。
【００９９】
他の側面に係る特典配信システムでは、特典付与部は、特典をユーザ端末に送信することにより、特典を取得させることとしてもよい。
【０１００】
このような側面によれば、特典を確実にユーザに取得させると共に、特典に係る情報をユーザ端末において参照可能な構成とすることができる。
【０１０１】
他の側面に係る特典配信システムは、ユーザが特典を店舗において使用した場合に、店舗からコンテンツの配信者に対する報酬を発生させ、発生した報酬を表す報酬情報を配信者に関連付けて記憶させる報酬付与部、をさらに備えることとしてもよい。
【０１０２】
このような側面によれば、広告主の商品及びサービス等に関する特典が使用されたときに、広告主から配信者への広告料としての報酬が発生するような構成とできるので、広告主にとっての投資効果のない広告費用投資を回避することができる。
【０１０３】
他の側面に係る特典配信システムは、ユーザが特典を店舗において使用した場合に、コンテンツに対する肯定的評価を示す評価情報を当該コンテンツに関連付ける評価情報付与部と、コンテンツが視聴されるときに、評価情報を併せて表示させるコンテンツ表示部と、をさらに備えることとしてもよい。
【０１０４】
このような側面によれば、肯定的評価を示す評価情報がコンテンツに関連付けられ、コンテンツの視聴時にユーザに対して評価情報が提示されるので、広告主の商品及びサービス等に関する特典の配信の配信者に対する見返りとして、無体の報酬を配信者に与えることができる。
【０１０５】
他の側面に係る特典配信システムでは、コンテンツ情報は、コンテンツのコンテンツ名、コンテンツの制作主体である配信者及びコンテンツを提供する事業者であるコンテンツプロバイダの少なくとも一つの情報を含むこととしてもよい。
【０１０６】
このような側面によれば、特典の取得の契機となったコンテンツのコンテンツ名、コンテンツの制作主体である配信者及びコンテンツ提供する事業者であるコンテンツプロバイダの少なくともいずれか一つの情報をユーザに認識させることが可能となる。
【０１０７】
以上、本発明をその実施形態に基づいて詳細に説明した。しかし、本発明は上記実施形態に限定されるものではない。本発明は、その要旨を逸脱しない範囲で様々な変形が可能である。
【０１０８】
特典配信システムの内部の構成は上記実施形態に限定されず、任意の方針で設計されてよい。例えば、特典配信システムは、配信サーバ１０、コンテンツデータベース１９、特典管理サーバ３０及び広告料管理サーバ４０の機能を有する一つのサーバを用いて実現されてもよい。あるいは、特典配信システムはより多くの種類のサーバを含んで構成されてもよい。個々のデータベースの設置場所は限定されない。例えば、コンテンツデータベース１９は、特典配信システム１とは別のコンピュータシステム内に設けられてもよい。
【０１０９】
また、機能部１１〜１４及び機能部２１〜２２が構成される装置（サーバ及び端末）は、本実施形態の例に限定されない。本実施形態において配信サーバ１０に構成されている機能部がユーザ端末２０に構成されることとしてもよいし、ユーザ端末２０に構成されている機能部が配信サーバ１０に構成されることとしてもよい。
【０１１０】
本開示において、「少なくとも一つのプロセッサが、第１の処理を実行し、第２の処理を実行し、…第ｎの処理を実行する。」との表現、またはこれに対応する表現は、第１の処理から第ｎの処理までのｎ個の処理の実行主体（すなわちプロセッサ）が途中で変わる場合を含む概念である。すなわち、この表現は、ｎ個の処理のすべてが同じプロセッサで実行される場合と、ｎ個の処理においてプロセッサが任意の方針で変わる場合との双方を含む概念である。
【０１１１】
少なくとも一つのプロセッサにより実行される方法の処理手順は上記実施形態での例に限定されない。例えば、上述したステップ（処理）の一部が省略されてもよいし、別の順序で各ステップが実行されてもよい。また、上述したステップのうちの任意の２以上のステップが組み合わされてもよいし、ステップの一部が修正又は削除されてもよい。あるいは、上記の各ステップに加えて他のステップが実行されてもよい。
【符号の説明】
【０１１２】
１…特典配信システム、１０…配信サーバ、１１…コンテンツ表示部、１２…特典付与部、１３…報酬付与部、１４…評価情報付与部、１９…コンテンツデータベース、２０…ユーザ端末、２１…表示部、２２…通知部、２３…提示部、３０…特典管理サーバ、３１…特典管理データベース、４０…広告料管理サーバ、４１…広告料管理データベース、５０…店舗端末、５１…提示部、ｄ…コンテンツ情報、Ｍ１，Ｍ２…記憶媒体、ｍ１０…メインモジュール、ｍ１１…コンテンツ表示モジュール、ｍ１２…特典付与モジュール、ｍ１３…報酬付与モジュール、ｍ１４…評価情報付与モジュール、ｍ２０…メインモジュール、ｍ２１…表示モジュール、ｍ２２…通知モジュール、ｍ２３…提示モジュール、Ｎ…ネットワーク、Ｐ１…サーバプログラム（特典配信プログラム）、Ｐ２…端末プログラム（特典配信プログラム）。
【要約】
【課題】広告主、コンテンツの配信者及びユーザの三者がメリットを享受しうるような特典の配信を可能にする。
【解決手段】特典配信システム１は、所定の広告主の商品及びサービス等に関する特典を配信するシステムであって、特定のコンテンツを視聴したユーザに特典を取得させる特典付与部であって、特典は少なくとも当該特典を使用可能な現実の店舗またはネットワーク上の仮想店舗と関連付けられている、特典付与部と、特典の使用が可能な店舗にユーザが現実空間またはネットワーク空間において所定の程度以上に接近した場合に、店舗への接近を示す接近情報をユーザのユーザ端末に通知する通知部と、ユーザが特典を前記店舗において使用した場合に、特典の取得の契機となったコンテンツに関するコンテンツ情報をユーザに提示する提示部と、を備える。
【選択図】図１【図１】
0006683878.tif 000002
【図２】
0006683878.tif 000003
【図３】
0006683878.tif 000004
【図４】
0006683878.tif 000005
【図５】
0006683878.tif 000006
【図６】
0006683878.tif 000007
【図７】
0006683878.tif 000008
【図８】
0006683878.tif 000009
【図９】
0006683878.tif 000010
【図１０】
0006683878.tif 000011
【図１１】
0006683878.tif 000012